【事件の表示】
　特許第３３６７５３３号に関する訂正審判事件について、次のとおり審決する。
【結　論】
　本件審判の請求は、成り立たない。
【理　由】
第１　手続の経緯
　本件特許３３６７５３３号に関する手続の経緯は次のとおりである。
　
　　　　平成　５年１０月１４日　特許出願
　　　　平成１４年１１月　８日　特許の設定登録
　　　　平成１５年　７月１５日　キヤノン株式会社、藤掛栄蔵及び鈴木
　　　　　　　　　　　　　　　　祐子より特許異議の申立て
　　　　平成１６年　８月２４日　異議の決定
　　　　平成１６年１０月１３日　取消決定取消請求訴訟
　　　　　　　　　　　　　　　（平成１７年（行ケ）第１０３３８号）
　　　　平成１６年１１月１５日　本件訂正審判請求
　　　　平成１７年　１月３１日　訂正拒絶理由通知
　　　　平成１７年　３月　３日　意見書
　
第２　請求の要旨
　本件審判請求は、特許第３３６７５３３号の願書に添付した明細書を本件審判請求書に添付された訂正明細書のとおりに訂正することを求めるものであって、その訂正の要旨は次のとおりである。
　
（ア）訂正事項
　特許請求の範囲の【請求項１】に「現像器によりトナー画像を形成するプロセス部」とあるのを、
　「現像器によりトナー画像を形成するプロセス部
に設けられ前記現像器にトナーを搬送することでトナーが補給されるトナー循環系、前記トナー循環系
と訂正する。
　
（イ）訂正事項
　特許請求の範囲の【請求項１】に「駆動系を備えているとともに、」とあるのを、
　「駆動
系、および
と訂正する。
　
（ウ）訂正事項
　特許請求の範囲の【請求項１】の「前記定着部材を加熱した後に前記駆動モータの駆動を開始する」と「制御装置」の間に、
　「
とともに、トナーエンドセンサからの出力信号によりトナーエンド状態を判断したとき前記トナー循環系を駆動してトナー補給を行うトナー補給モードが設定されている
を挿入する。
　
（エ）訂正事項
　特許請求の範囲の【請求項１】の「制御装置を備えており、」と「前記制御装置は」の間に、
　「
前記駆動モータは、スローアップ、スローダウンおよび定速回転に駆動制御されるステップモータであり、
を挿入する。
　
（オ）訂正事項
　特許請求の範囲の【請求項１】の「前記制御装置は、前記定着部材の温度がトナー固着解除温度になったときに前記駆動モータの駆動を開始する」と「ことを特徴とする」の間に、
　「
とともに、印字途中に前記トナー補給モードに入った場合は前記定着器を定着温度で制御しつつ前記駆動モータを駆動制御し、印字途中でないときに前記トナー補給モードに入った場合は前記定着器を最低固着解除温度で制御しつつ前記駆動モータを駆動制御する
を挿入する。
　
（カ）訂正事項
　特許請求の範囲の【請求項２】を削除する
　
（キ）訂正事項
　段落【０００７】に「トナー画像を形成するプロセス部」とあるのを、
　「
現像器にトナーを搬送することでトナーが補給されるトナー循環系
と訂正する。
　
（ク）訂正事項
　段落【０００８】に「現像器によりトナー画像を形成するプロセス部」とあるのを、
　「現像器によりトナー画像を形成するプロセス部
に設けられ前記現像器にトナーを搬送することでトナーが補給されるトナー循環系、前記トナー循環系
と訂正する。
　
（ケ）訂正事項
　段落【０００８】に「駆動系を備えているとともに、」とあるのを
　「駆動
系、および
と訂正する。
　
（コ）訂正事項
　段落【０００８】の「前記定着部材を加熱した後に前記駆動モータの駆動を開始する」と「制御装置」の間に、
　「
とともに、トナーエンドセンサからの出力信号によりトナーエンド状態を判断したとき前記トナー循環系を駆動してトナー補給を行うトナー補給モードが設定されている
を挿入する。
　
（サ）訂正事項
　段落【０００８】の「備えており、」と「前記制御装置が」の間に、
　「
前記駆動モータが、スローアップ、スローダウンおよび定速回転に駆動制御されるステップモータであり、
を挿入する。
　
（シ）訂正事項
　段落【０００８】の「前記制御装置が、前記定着部材の温度がトナー固着解除温度になったときに前記駆動モータの駆動を開始する」と「ことを特徴とする」の間に、
　「
とともに、印字途中に前記トナー補給モードに入った場合は前記定着器を定着温度で制御しつつ前記駆動モータを駆動制御し、印字途中でないときに前記トナー補給モードに入った場合は前記定着器を最低固着解除温度で制御しつつ前記駆動モータを駆動制御する
を挿入する。
　
（ス）訂正事項
　段落【０００８】に「とする。また、本発明の画像形成装置は、前記プロセス部の現像器にトナーを補給する補給手段も、前記プロセス部および前記定着器とともに前記１つの駆動モータで駆動することを特徴とする。」とあるのを、
　「
とする。
と訂正する。
　
（セ）訂正事項
　段落【０００９】に「トナー画像を形成するプロセス部」とあるのを、
　「トナー画像を形成するプロセス部
の現像器にトナーを搬送することでトナーが補給されるトナー循環系
と訂正する。
　
（ソ）訂正事項
　段落【０００９】に「１つの駆動モータによりプロセス部」とあるのを、
　「１つの駆動モータによりプロセス部
のトナー循環系
と訂正する。
　
（タ）訂正事項
　段落【０００９】に「防止される。更に、プロセス部の現像器にトナーを補給するトナー補給手段もプロセス部および定着器とともに１つの駆動モータで駆動されることで、トナー補給時のトナー固着による定着器の損傷が防止されるとともに、トナー補給時の起動トルクが小さくでき、小型のモータが使用可能となる。」とあるのを、
　「
防止される。更に、印字途中にトナー補給モードに入った場合は定着器を定着温度で制御しつつ駆動モータを駆動制御し、また、印字途中でないときにトナー補給モードに入った場合は定着器を定着温度より低い最低固着温度で制御しつつ駆動モータを駆動制御しているので、印字途中のトナー補給の場合にトナー補給終了後即座に印字可能となり、また、印字途中のトナー補給の場合には装置内部の昇温が防止されるようになる。
と訂正する。
　
（チ）訂正事項
　段落【００４２】に「トナー画像を形成するプロセス部」とあるのを、
　「トナー画像を形成するプロセス部
の現像器にトナーを搬送することでトナーが補給されるトナー循環系
と訂正する。
　
（ツ）訂正事項
　段落【００４２】の「トナー搬送動作が行われてトナー循環路内に滞留したトナーの溶融や凝集を防止できるようになる。」と「また、駆動モータを１つに」の間に、
「
更に、印字途中にトナー補給モードに入った場合は定着器を定着温度で制御しつつ駆動モータを駆動制御し、また、印字途中でないときにトナー補給モードに入った場合は定着器を定着温度より低い最低固着解除温度で制御しつつ駆動モータを駆動制御しているので、印字途中のトナー補給の場合にトナー補給終了後即座に印字可能にしつつ、しかも、印字途中のトナー補給の場合には装置内部の昇温を防止することができる。
を挿入する。
　
（テ）請求事項
　段落【００４２】に「。。」とあるのを、
「
。
と訂正する。
　
（ト）訂正事項
　段落【００４２】に「防止できる。更に、プロセス部の現像器にトナーを補給するトナー補給手段もプロセス部および定着器とともに１つの駆動モータで駆動することで、トナー補給時のトナー固着による定着器の損傷を防止できるとともに、トナー補給時の起動トルクを小さくでき、小型のモータを使用できる。」とあるのを、
「
防止できる。
と訂正する。
　
第３　訂正拒絶理由の概要
　当審において、平成１７年１月３１日付けで通知した訂正拒絶理由の概要は、次のとおりである。
　
理由１．訂正事項（ア）、（キ）、（ク）、（セ）、（ソ）及び（チ）は、実質上特許請求の範囲を拡張し、又は変更するものであるから、平成６年改正前特許法第１２６条第２項に規定する要件を満たしていない。
　
理由２．訂正事項（ウ）及び（コ）ならびにこれらの訂正事項の内容を引用している訂正事項（オ）、（シ）、（タ）及び（ツ）は、実質上特許請求の範囲を拡張し、又は変更するものであるから、平成６年改正前特許法第１２６条第２項に規定する要件を満たしていない。
　
理由３．本件訂正後発明は、訂正後における特許請求の範囲に記載されている事項により構成される発明が特許出願の際独立して特許を受けることができないものであるから、平成６年改正前特許法第１２６条第３項に規定する要件を満たしていないものである。
　
第４　当審の判断
　
１．理由１について
　上記訂正事項(ア)によって訂正された請求項１に係る発明では、少なくとも以下の２点を特定するものである。
(１)同一の駆動モータで駆動される部位が、少なくとも「現像器によりトナー画像を形成するプロセス部に設けられ前記現像器にトナーを搬送することでトナーが補給されるトナー循環系」及び「定着器」の２つであること。
(２)「トナー循環系」は、「現像器によりトナー画像を形成するプロセス部に設けられ」たものであること。
　なお、訂正後の請求項１に係る発明における「前記現像器にトナーを搬送することでトナーが補給されるトナー循環系」は、訂正前の「トナーを補給する補給手段」に他ならない。
　そこで、これらの点について、検討する。
　
　本件の願書に添付した明細書（以下、「本件明細書」という。）の特許請求の範囲の請求項１〜２には、以下のとおりに記載されている。
「【請求項１】　転写後の支持体上のトナー画像を少なくとも熱により定着を行う定着器を備えた画像形成装置において、
前記定着器は、回転しながら熱による定着を行う定着部材とこの定着部材のまわりに接触する接触部材とを有する定着器からなり、
現像器によりトナー画像を形成するプロセス部および前記定着器をともに駆動する１つの駆動モータを少なくとも有する駆動系を備えているとともに、および前記定着部材を加熱した後に前記駆動モータの駆動を開始する制御装置を備えており、前記制御装置は、前記定着部材の温度がトナー固着解除温度になったときに前記駆動モータの駆動を開始することを特徴とする画像形成装置。
【請求項２】　前記プロセス部の現像器にトナーを補給する補給手段も、前記プロセス部および前記定着器とともに前記１つの駆動モータで駆動することを特徴とする請求項１記載の画像形成装置。」
　本件明細書の段落【００１３】には、以下のとおりに記載されている。
「【００１３】図示されない駆動系７０は駆動モータ７１とギア列７２からなり、ギア列７２はトナー循環系、感光ドラム３１、定着ローラ４１などに動力を伝達する。」
　また、本件明細書の段落【００１６】には、以下のとおりに記載されている。
「【００１６】図３はトナー循環系とトナータンク３６の構成を示す部分切断斜視図である。内部に攪拌器３６３ａ、３６３ｂをもつトナータンク３６は装置にセットされると、蓋３６１の開口部３６２からトナー循環路３５にトナーを送り出す。トナー循環路３５は現像器３３とクリーナ部３７を結んで閉じたエンドレス状になっている。トナー循環路内には、トナー搬送バネベルト３５１がエンドレスに張り渡されており、トナー搬送バネベルト３５１はギア３５２により駆動され、循環路３５内のトナーを搬送する。ギア３５２は駆動系７０により駆動される。」
　
　上記【請求項１】及び【請求項２】の記載からみて、「同一の駆動モータで駆動される部位」は、訂正前の請求項１に係る発明では、少なくとも 「現像器によりトナー画像を形成するプロセス部」及び「定着器」の２つであり、同請求項２に係る発明では、少なくとも「現像器によりトナー画像を形成するプロセス部」、「定着器」及び「プロセス部の現像器にトナーを補給する補給手段」の３つである。
　また、訂正前の請求項２の記載からみて、「プロセス部の現像器にトナーを補給する補給手段」は、「現像器によりトナー画像を形成するプロセス部」とは別個のものであることは明らかである。
　
　したがって、「同一の駆動モータで駆動される部位」について、訂正後の請求項１に係る発明は、訂正前の請求項１及び請求項２に係る発明において必須であった「現像器によりトナー画像を形成するプロセス部」を削除するものであるから、上記訂正は、実質上特許請求の範囲を拡張するものである。
　この点について、請求人は、上記(２)のように訂正することにより、上記訂正が、実質上特許請求の範囲を拡張するものではない旨の主張をしているが、該訂正は、訂正前の「トナー循環系（補給手段）」が、「プロセス部」とは別個であったものを、「プロセス部」に含まれるように変更するものであって、請求人の主張は、「プロセス部」の技術的意味を変更したうえでのものであるから、到底採用し得ないものである。
　
　上記のとおり、上記訂正事項は、実質上特許請求の範囲を拡張するものであるから、平成６年改正前特許法第１２６条第２項に規定する要件に適合していない。
　
２．理由２について
　本件明細書の段落【００１７】には、以下のとおりに記載されている。
「【００１７】図４は制御系５１と定着器他のトナー補給動作に関連するユニットとの接続関係を示した図で、制御系は他にも電子写真プロセスの諸要素と接続されているが、ここでは省略した。図中細線は電気的な接続を、細線の二重線は駆動力の伝達を示している。制御系５１にはトナーエンドセンサ３５３の出力信号、定着ローラに接する温度検出素子４４の出力信号、インターロックスイッチ６２の信号などが入力され、それらの情報を内部のプログラムで処理して、定着ローラやトナー搬送系の駆動信号を駆動系７０に、定着器ヒータ４３の通電信号をＳＳＲ５２に、トナーエンドの表示信号をトナーエンド表示６４に、ファン駆動信号を冷却ファン１１にそれぞれ出力する。」
　本件明細書の段落【００１８】には、以下のとおりに記載されている。
「【００１８】制御系５１は、装置が動作している間は、所定時間間隔でトナーエンドセンサ３５３の出力をモニタし、出力レベルが所定範囲を外れてトナー量が少ない状態であるかどうかを監視する。トナー量が少ないと判断するのは、トナータンク３６が空になり交換可能な状態となった時となるようにする。」
　本件明細書の段落【００２１】には、以下のとおりに記載されている。
「トナーエンドセンサの出力レベルがさらに変化すると、トナーローの場合と同様の判定基準によりトナーエンド状態と判断される。」
　本件明細書の段落【００２５】には、以下のとおりに記載されている。
「さて、トナーエンド表示を認めてユーザがトナータンク３６を交換した後、ユーザが再びカバー６１を閉じると、トナー補給を開始する。本実施例では、メモリ５３にトナーエンド状態が保持されている時、インターロックスイッチ６２が解除からセットされることでカバー６１が閉鎖されたことを検知すると、トナー補給モードに入る。トナー補給モードへ入る条件は、この他にもカバー閉鎖直後にトナーエンド状態が検出されたときや、トナーエンド状態で電源が投入されしかもカバーが閉じているとき、あるいはユーザが操作するスイッチによるなどいろいろに設定し得る。」
　本件明細書の段落【００２６】には、以下のとおりに記載されている。
「トナー補給モードに入ると、ステップＳ１で定着ローラ表面設定温度が９０℃でヒータ制御が開始される。…。サーミスタ検出温度が９０℃以上となると、…、駆動系７０をスタートさせ（Ｓ４）、…。駆動系のスタート後トナーエンドセンサの動作を再開し、トナーエンド状態でなくなっているかどうかを判定する（Ｓ６）。…。トナーエンド状態でないと判断されると、…、トナー補給モードを終了する。判定の結果トナーエンド状態のままと判断されると、…トナー補給モードを抜け、トナーエンド判定時と同じ状態に戻る。」
　
　これらの記載からみて、トナー補給モードに入るには、トナーエンド状態であることに加え、インターロックスイッチのセット、カバーの閉鎖、ユーザが操作するスイッチといったユーザによるトナー補給開始を示す操作が必要となるものである。
　してみるに、本件明細書に記載の印刷装置においては、トナーエンド状態を判断し、かつ、ユーザによるトナー補給開始を示す操作が入力された場合に限り、制御系がトナー補給モードに入るものである。
　
　しかしながら、上記訂正事項（ウ）によって訂正された請求項１に係る発明における印刷装置は、「トナーエンドセンサからの出力信号によりトナーエンド状態を判断したとき前記トナー循環系を駆動してトナー補給を行うトナー補給モード」を備えたものであって、ユーザによるトナー補給開始を示す操作が入力されない場合においてトナー補給モードに入るものを包含するものである。
　すなわち、上記訂正事項（ウ）によって訂正された請求項１に係る発明は、「トナーエンド状態を判断したとき前記トナー循環系を駆動してトナー補給を行うトナー補給モードが設定される」ものであって、本件明細書の【００２５】に記載された、インターロックスイッチのセット、カバーの閉鎖、ユーザが操作するスイッチといったユーザによるトナー補給開始を示す操作の有無は、トナー補給モードに入るための要件として上記訂正事項（ウ）によって訂正された請求項１で規定されていないものである。特許発明の技術的範囲は特許請求の範囲の記載に基づいて定められる旨特許法第７０条第１項で規定されていることを勘案すると、上記訂正事項（ウ）によって訂正された請求項１に係る発明においては、「トナー補給開始を示す操作を経ずに、トナーエンド状態の検知からただちにトナー補給モードに入る」印刷装置も、その技術的範囲に包含されるものである。
　
　上記のとおり、上記訂正事項は、実質上特許請求の範囲を変更するものであるから、平成６年改正前特許法第１２６条第２項に規定する要件に適合していない。　
　
３．理由３（独立特許要件）について
（１）訂正後の発明
　本件訂正後における特許請求の範囲に記載された事項により構成される発明（以下「本件訂正後発明」という。）は、訂正請求書に添付された明細書の特許請求の範囲に記載された次のとおりのものである。
「転写後の支持体上のトナー画像を少なくとも熱により定着を行う定着器を備えた画像形成装置において、
　前記定着器は、回転しながら熱による定着を行う定着部材とこの定着部材のまわりに接触する接触部材とを有する定着器からなり、
　現像器によりトナー画像を形成するプロセス部に設けられ前記現像器にトナーを搬送することでトナーが補給されるトナー循環系、前記トナー循環系および前記定着器をともに駆動する１つの駆動モータを少なくとも有する駆動系、および前記定着部材を加熱した後に前記駆動モータの駆動を開始するとともに、トナーエンドセンサからの出力信号によりトナーエンド状態を判断したとき前記トナー循環系を駆動してトナー補給を行うトナー補給モードが設定されている制御装置を備えており、
　前記駆動モータは、スローアップ、スローダウン及び定速回転に駆動制御されるステップモータであり、
　前記制御装置は、前記定着部材の温度がトナー固着解除温度になったときに前記駆動モータの駆動を開始するとともに、印字途中に前記トナー補給モードに入った場合は前記定着器を定着温度で制御しつつ前記駆動モータを駆動制御し、印字途中でないときに前記トナー補給モードに入った場合は前記定着器を最低固着解除温度で制御しつつ前記駆動モータを駆動制御することを特徴とする画像形成装置。」
　
（２）引用文献
ア　本願の出願日（平成５年１０月１４日）以前に頒布された刊行物である、特開平１−９１１６５号公報（以下「引用文献１」という。）には、以下に列挙する事項が記載されている。
（１ａ）公報２ページ右下欄１６行目〜３ページ左上欄１０行目
「先ず、第２図により本発明に係る現像装置について説明する。
　図において、符号１はトナー収容部を示し、筒体の内側にカートリッジ２を着脱可能に収納自在である。このカートリッジ２は図示省略のトナー補給口からこのトナー収容部１内に装着される。カートリッジ２の内部にはトナーが収容されていて、内蔵のアジテータ２Ａにより攪拌が行なわれる。カートリッジ２の一部にはスリット状の開口２Ｂが形成されていて、この開口２Ｂはホッパ部３の開口３Ａに対向している。
　ホッパ部３の内側にはアジテータ３Ｂが設けてある。このホッパ部３の出口は現像部４に述通しており、該出口部にはスプライン軸上のトナー補給軸５が矢印方向に回転自在に設けてある。」
（１ｂ）公報３ページ右上欄２〜１４行目
「上記アジテータ、パドル等の駆動機構は第３図に示すようになっている。
　すなわち、複写機本体のメインモータにより駆動される駆動軸にトナー補給クラッチ１０を介して歯車７Ｇが設けてある。…。
　従って、トナー補給クラッチ１０が接続されるオンのときのみ、トナー補給軸５，アジテータ２Ａ、３Ｂは駆動されることになる。」
（１ｃ）公報４ページ右上欄６行目〜左下欄１５行目
「次に、第１図を参照して、トナーエンド表示後、カートリッジ２が交換された後の複写機の制御態様について説明する。
　トナーエンド表示後、所定枚数（例えば５０枚）コピーされると機械は停止される。この状態をトナーエンドと称し、トナーエンド表示後所定枚数に至らない範囲での機械の状態をトナーニアエンドと称する。
　メインスイッチＳＷ１（第９図参照）が入り、トナーエンド表示がオンとなっているトナーエンド又はトナーニアエンドの下で、トナーカットリッジの交換に際しては前カバーが開けられるとスイッチ手段の傾きでメインスイッチＳＷ１がオフにされる。同時に定着ローラに対するヒータ２３もオフとなる（第９図参照）。なお、トナーエンド時の電源オフ保証用にＣＰＵ電源端子にはバックアップ用電池が接続されている。
　次に、カートリッジが交換されて前カバーが閉じられ、電源がオンされるとトナーエンド表示はクリア（オフ）される。前カバースイッチを第８図に符号２５で示す。
　その後、定着サーミスタ２４（第８図参照）による温度検知により、定着ローラのヒータ２３が所定温度に達して定着可能な定着ウォームアップが可能（ＯＫ）な状態になると、メインモータＭ、トナー補給クラッチ１０を８ｓｅｃオンさせた後にオフさせてコピー可表示がそれまで「ＷＡＩＴ」であったのを「ＲＥＡＤＹ」に切換えて画像形成プロセスが可能な状態にし、メインモータＭ、トナー補給クラッチ１０をオフとする。」
（１ｄ）４ページ右下欄９行目〜５ページ左上欄１５行目
「次にフロチャートを以て説明する。
　第１０図において、トナーエンド表示から所定枚数（例えば５０枚）のコピーが行なわれるまでの間は、トナー制御フラグはセットの状態とはならず、トナー補給クラッチ１０がオンの状態ではアジテータ３Ｂも回転するので、第６図の状態となってトナーエンドセンサ２２はオン・オフを繰り返し、その都度トナーニアエンドＳＷカウンタが１ずつ加算される。
　上記トナー補給クラッチ１０は当該複写機の１コピーサイクル中の所定のタイミング、例えばスキャンの終了時にトナー濃度が別手段で検出されて所定濃度よりも低いと判断されると４ｓｅｃ連続してオンにされて、その後オフされるように設定されている。オンにされるのは次のコピーサイクルにおける上記所定のタイミング時である。
　而して、第１０図のフローチャートでトナー補給クラッチ１０がオフのときにトナーニアエンドＳＷカウンタ値が２以上ならばトナーニアエンドモードがセットされる。
　次に、第１１図で、トナーニアエンドモードならば、トナーエンド後フラグのセット有無が判別されセット無ならばトナーニアエンドカウンタを加算していき、５０を越えたときつまり５０枚コピーが実行されると、トナーエンド表示、コピー終了フラグセット等がなされる。」
　
　これらの記載からみて、引用文献１には以下のとおりの発明（以下「引用発明１」という。）が開示されているものと認める。
「定着ローラを有し定着サーミスタで温度監視を行う定着器を備えた画像形成装置において、
　トナーカートリッジからトナーを搬送することで現像器にトナーが補給される、アジテータ３Ｂ及びトナー補給軸５を含む系と
　前記アジテータ３Ｂ及びトナー補給軸５ならびに定着ローラを駆動するメインモータと、
　定着ローラが定着ウォームアップされた後にメインモータの駆動を開始するとともに、トナーニアエンドＳＷからの出力信号によりトナーエンド状態を検出し、前記アジテータ３Ｂ及びトナー補給軸５を含む系を駆動してトナー補給を行う手段とを備えており、
　定着ローラが加熱され定着温度に達してから定着ローラの回転を開始する画像形成装置。」
　
イ　本願の出願日（平成５年１０月１４日）以前に頒布された刊行物である、特開平５−８８５８２号公報（以下「引用文献２」という。）には、以下に列挙する事項が記載されている。
（２ａ）【０００２】〜【００１７】
「【０００２】
　　【従来の技術】
　一般的な電子写真装置では、均一に帯電された感光体をレーザビームなどで露光して潜像を形成し、これを微小粉体（以下トナーと称する）により現像し粉体像（以下トナー像と称する）を形成する。このトナー像を記録媒体（以下記録紙と称する）に転写し、記録紙に転写されたトナー像を、熱や圧力またはその両方で記録紙に定着して、出力画像を得る。
【０００３】
　一般的な画像定着装置は、少なくとも加熱手段を有する加熱ローラと、この加熱ローラに圧接した加圧ローラとで構成され、この加熱および加圧された一対のローラ間に表面にトナー像を形成した記録紙を挟持しつつ搬送することにより、トナー像に短時間熱を加えて記録紙上に定着させるものである。
【０００４】
　以下、従来の画像定着装置について、図４〜図８を用いて説明する。図４は画像定着装置の構成を示した側面図、図５は定着部位の拡大図、図６は画像定着装置の温度制御部のブロック図、図７は従来の画像定着方法における制御フロー図、図８は従来の画像定着方法の制御内容を説明する図である。
【０００５】
　図４において、１０１は加熱ローラであり、駆動源（図示せず）に連結され、側壁（図示せず）に回転自在に支持されている。１０３はヒータであり、加熱ローラ１０１内に収容されている。１０４はサーミスタなどで構成される温度検出手段であり、加熱ローラ表面温度を検出する。１０２は加圧ローラであり、加圧ローラ支持部材１０５によって、加熱ローラ１０１に接離自在に支持される。加圧ローラ支持部材１０５は側壁（図示せず）にピン１０６によって支持される。加圧ローラ支持部材１０５は、その端部にて付勢部材（図示せず）によって付勢力ｆで矢印Ａ方向に付勢され、加圧ローラ１０２を加熱ローラ１０１に圧接する。そのとき、加圧ローラ１０２と加熱ローラ１０１間の圧接力Ｆは、てこの原理によって式（１）のようになる。
【０００６】
　Ｆ＝（Ｌ２／Ｌ１）×ｆ　　　　　…（１）　
　加熱ローラ１０１は表面にシリコンゴムなどを薄くコーティングした金属ローラであり、加圧ローラ１０２は表面に薄い弗素樹脂皮膜を持つゴムローラである。両ローラを圧接することによって、図５のごとく加圧ローラ１０２を変形させて接触面積を増加させ、記録紙の加熱時間（ａ点からｂ点間で移動する時間）を長くしている。
【０００７】
　次に、図４を用いて画像定着装置による定着動作を説明する。定着動作時において、加熱ローラ１０１はＣ方向に、加圧ローラ１０２はＤ方向にそれぞれ等しい周速で回転し、トナー像１１２　が形成された記録紙１１３はＢ方向に搬送されてくる。記録紙ガイド１１１　によって画像定着に導かれた表面に未定着トナー像１１２を有する記録紙１１３は、ヒータ１０３によって熱せられた加熱ローラ１０１と加圧ローラ１０２との間を通過する。そのときに未定着トナー像が加熱ローラ１０１の表面に圧接され、瞬間的に熱を加えられてトナーが溶融し、記録紙１１３に融着し、トナー像が記録紙上１１３に定着される。画像定着装置を出た記録紙１１３は、排出ローラ１０７，１０８によって排紙トレイ１０９上に排出される。
【０００８】
　次に図６を用いて画像定着装置の温度制御について詳細に説明する。ＣＰＵ１はデータラッチ部２に対して、実際の温度に対応したディジタルデータを出力する。データラッチ部２でラッチされたデータはデータ比較部３に出力される。一方定着器の温度は加熱ローラ１０１表面に接して設置された温度検出手段１０４である温度検出部４で検出される。温度検出部４ではサーミスタを用いて、温度によりサーミスタの抵抗値が変化することを利用し、サーミスタ両端の電位をＡ／Ｄ変換部５でディジタルデータに変換し、これをデータ比較部３に出力する。データ比較部３はデータラッチ部２のデータとＡ／Ｄ変換部５のデータを比較し、データラッチ部２の値の方が高温を示せばＨＩレベルを、それ以外の場合はＬＯレベルをゲート部７に出力する。
【０００９】
　後述するエラー検出部６は通常（エラー非検出時）はＨＩレベルをゲート部７に出力している。ゲート部７はＡＮＤ回路で構成されており、エラー非検出時は、データ比較部３の出力レベルをそのままヒータドライバ８に入力する。ヒータドライバ部８は入力がＨＩレベルならば定着装置ヒータ９をオンに、入力がＬＯレベルならば定着装置ヒータ９をオフに制御する。
【００１０】
　一方温度検出部４の出力はエラー検出部６にも入力されている。エラー検出部６は前述したように通常ＨＩレベルを出力しているが、温度検出部４の出力電位が、たとえば−１０℃以下に相当する電位であればサーミスタがオープン、２３０℃以上に相当する電位であれば制御に失敗していると判断し、ゲート部７に対してＬＯレベルを出力する。このときＡＮＤ回路であるゲート部７は常にＬＯレベルを出力するから、ヒータドライバ８の入力はＬＯとなり定着装置ヒータ９はオフされる。
【００１１】
　また画像定着装置は一般に高温を扱うため、安全上加熱ローラ上にサーモスタットなどを配置し（図示せず）、加熱ローラの表面温度を独立して監視し、設定値以上の高温が検出された場合、強制的に定着装置ヒータ９をオフする構成がとられている。また、Ａ／Ｄ変換部５の出力およびエラー検出部６の信号はＣＰＵ１に接続されており、ＣＰＵ１で現在の定着器温度を監視でき、またエラーの発生も知ることができる。
【００１２】
　次に図７を用いて従来例の画像定着装置の制御フローを詳細に説明する。
〈ステップ２−１〉
　まず装置全体の電源が投入される。
〈ステップ２−２〉
　加熱ローラ表面温度を待機中の設定温度Ｔｓｔ（たとえば１５０℃）に設定する。
〈ステップ２−３〉
　温度設定を行うと、ヒータがオンし加熱ローラの表面温度が上昇する。ＣＰＵは加熱ローラ表面温度の監視を開始し、表面温度がプロセス初期化開始温度Ｔｉｎ（たとえば１００℃）になるまで待つ。プロセス初期化開始温度Ｔｉｎは加熱ローラ上に付着したトナーが十分軟化する温度であり、Ｔｉｎ未満の温度で加圧ローラ、加熱ローラを回転させると、ローラ表面に傷などが生じる恐れがある。
〈ステップ２−４〉
　加熱ローラ表面温度がＴｉｎに達したなら、加熱ローラ、加圧ローラをともに回転させる。回転速度は定着速度Ｖａである。
〈ステップ２−５〉
　電子写真プロセスの初期化を開始する。プロセス初期化が終了するまで次のステップには進まない。
〈ステップ２−６〉
　加熱ローラ表面温度が待機中の設定温度Ｔｓｔになるまで待つ。この間に加圧ローラ表面温度も待機中Ｔｓｔに近付く。
〈ステップ２−７〉
　加熱ローラ、加圧ローラの回転を停止する。以上でウォームアップを終了する。
〈ステップ２−８〉
　印字開始指令の有無を判定する。
〈ステップ２−９〉
　印字開始指令がない場合、常に加熱ローラ表面の温度設定は待機中の設定温度Ｔｓｔを維持する。
〈ステップ２−１０〉
　ＣＰＵでエラーをチェックする。異常高温、サーミスタオープンなどのエラーが発生すればエラー処理を行う。エラー処理には、ヒータの強制オフが含まれる。エラーが検出されなければ、ステップ２−８に戻る。
〈ステップ２−１１〉
　印字開始指令があった場合、加熱ローラ表面温度を動作中の設定温度Ｔｐｒに設定する。Ｔｐｒは待機中の設定温度Ｔｓｔより高温の設定である（たとえば１６０℃）。このように待機中の加熱ローラ表面温度を低く設定する理由は、消費電力量の低減、画像定着装置近傍に熱に注意すべきユニット（たとえば現像ユニットなど。電子写真装置をコンパクトにしようとすると、画像定着装置の上に現像ユニットを配置すると最良の結果が得られる場合がある）が存在するなどによる。
〈ステップ２−１２〉
　加熱ローラと加圧ローラの回転を開始する。回転速度は定着速度のＶａ。
〈ステップ２−１３〉
　各印字プロセスを順次起動し画像を形成する。
〈ステップ２−１４〉
　ＣＰＵでエラーをチェックする。異常高温、サーミスタオープンなどのエラーが発生すればエラー処理を行う。エラー処理は全ての電子写真プロセスの停止を意味する。
〈ステップ２−１５〉
　全印字プロセスが終了したかチェックする。プロセスの途中であればステップ２−１４に戻る。
〈ステップ２−１６〉
　全印字プロセスが終了していれば、加熱ローラ、加圧ローラの回転を停止し、ステップ２−８に戻る。
【００１３】
　次に図８を用いて上記の動作フローに基づく実際の制御結果を詳細に説明する。図８で細線で描かれたグラフは、加熱ローラ表面においてサーミスタで検知される実際の温度を示し、太線で描かれたグラフは、ＣＰＵで設定する加熱ローラ表面温度の設定値である。
【００１４】
　時間軸Ｘ０の時点で装置全体の電源が投入される。電源投入直後に加熱ローラ表面温度は待機中の設定温度であるＴｓｔに設定される。温度設定とともに加熱ローラ内のヒータはオンされ、加熱ローラ表面温度は上昇し始める。やがて加熱ローラ表面温度はトナーが十分に軟化する温度Ｔｉｎに達する。Ｔｉｎに達した時点をＸ１とするとＸ０からＸ１の間は加熱ローラ、加圧ローラはともに停止している。トナーが軟化する前にローラを回転させると各ローラを傷つける恐れがあるからである。
【００１５】
　加熱ローラ表面温度がＴｉｎに達すると、加熱ローラ、加圧ローラともに回転を開始する。回転速度は定着速度のＶａである。それと同時に電子写真プロセスの初期化が行われる。初期化では電子写真プロセスの実行に必要なユニットの有無、各ユニット位置チェック、各種モータ動作チェックなどを行う。これらのチェックでエラーが検出されれば、エラー処理を行い、全ての動作を停止する。
【００１６】
　加熱ローラ、加圧ローラの回転は、加熱ローラ表面温度が待機中の設定温度Ｔｓｔに達するまで続けられる。Ｔｓｔに達した時点をＸ２とすれば、両ローラが回転速度Ｖａで回転しているのは、Ｘ１からＸ２までとなる。Ｘ１からＸ２までの加熱ローラ表面温度の上昇速度勾配が異なるのは、Ｘ１以前は停止していたローラを回転させるため、加熱ローラの熱が加圧ローラに奪われるためである。
【００１７】
　Ｘ２の時点で加熱ローラ、加圧ローラの回転を停止し、ウォームアップ期間を終了する。これ以降は待機中となり、印字開始指令が与えられれば、各電子写真プロセスを起動し画像形成を行う。加熱ローラの表面温度はＸ２以降オーバーシュートし、定着可能温度Ｔａｗを越える温度まで上昇するが、待機時間が経過するにつれてＴｓｔを中心として±３℃程度で安定する。」
　
　これらの記載からみて、引用文献２には以下のとおりの発明（以下「引用発明２」という。）が開示されているものと認める。
「転写後の記録媒体上のトナー画像を少なくとも熱により定着を行う定着器を備えた電子写真装置において、
　前記定着器は、回転しながら熱による定着を行う加熱ローラとこの加熱ローラに圧接した加圧ローラとを有する定着器からなり、
　定着器を駆動する駆動源、および前記定着部材を加熱した後に前記駆動モータの駆動を開始する温度制御部を備えており、
　前記温度制御部は、前記定着部材の温度がプロセス初期化開始温度になったときに前記駆動モータの駆動を開始するとともに、印字途中では定着器を動作中の設定温度で制御し、印字途中でないときは動作中の設定温度未満でかつプロセス初期化開始温度以上である待機中の設定温度で定着器を制御することを特徴とする電子写真装置。」
　
ウ　本願の出願日（平成５年１０月１４日）以前に頒布された刊行物である、特開平５−３７００号公報（以下「引用文献３」という。）には、以下に列挙する事項が記載されている。
（３ａ）【０００２】〜【０００３】
「　　　【０００２】
　　【従来の技術】
　図６にレーザプリンタ，レーザファクス等として広く利用される電子写真装置の概略構成を示す。　
　同図において、１は像担持体ユニットでプロセス手段を形成するドラム状感光体からなる像担持体２、廃トナーボックス３、現像器４等をケース５に一体的に組込んだものである。この像担持体ユニット１は、カバー７を開放することによって、矢印Ｙ方向から本体６に着脱可能である。　
　したがって、図６に実線で示す装着状態において、右方向から左方向に用紙を搬送すれば、像担持体２を通過するときに静電画像が転写され、左方向の定着器８を通し、用紙上に電子写真をとることができる。
　　　【０００３】
　この用紙搬送手段は、搬送ローラ４１，ステッピングモータ，ステッピングモータ制御部，スローアップカーブデータ記憶手段等を含み形成されている。また、ステッピングモータは像担持体２，定着器８の回転駆動手段をも兼ねるメーンモータとして形成される場合が多い。」
（３ｂ）【００４５】
「　　　【００４５】
　なお、本実施例では、スローダウンカーブデータについても、カウンタ９のデータ記憶エリアに記憶させ、かつデータ読取入力制御手段（１１，１２），ステッピングモータ制御部２０もスローアップカーブデータの場合と同様に作動するものと構成されているが、スローアップカーブデータについての上記説明から容易推考できるので、スローダウンカーブデータについての説明は割愛する。」
　
　これらの記載事項から、引用文献３には以下のとおりの発明（以下「引用発明３」が開示されているものと認める。
「像担持体２と定着器８とを少なくとも含む電子写真装置内の部位を回転駆動するステッピングモータからなるメーンモータを有し、前記ステッピングモータはスローアップおよびスローダウンを行う電子写真装置。」
　
（３）対比
　本件訂正後発明と引用発明１とを対比する。
　引用発明１における「定着ローラ」は、本件訂正後発明における「定着部材」に相当する。
　引用発明１における「トナーカートリッジからトナーを搬送することで現像器にトナーが補給される、アジテータ３Ｂ及びトナー補給軸５を含む系」は、現像器にトナーを搬送することでトナーが補給されるものであるから、本件訂正後発明における「トナー循環系」と同様の機能を有する。
　定着部材と現像器にトナーを搬送することでトナーを補給する系とを駆動するモータである点で、引用発明１における「メインモータ」は本件訂正後発明における「駆動モータ」に相当する。
　引用発明１における定着ローラが所定温度に達してからメインモータを駆動することは、本件訂正後発明における定着部材を加熱した後に駆動モータの駆動を開始することに相当する。
　引用発明１における「トナーニアエンドＳＷからの出力信号によりトナーエンド状態を検出し、前記アジテータ３Ｂ及びトナー補給軸５を含む系を駆動してトナー補給を行う」ことは、本件訂正後発明における「トナーエンドセンサからの出力信号によりトナーエンド状態を判断したときトナー循環系を駆動してトナー補給を行う」ことに相当する。
　
　したがって、両者は、
「転写後の支持体上のトナー画像を少なくとも熱により定着を行う定着器を備えた画像形成装置において、
　前記定着器は、回転しながら熱による定着を行う定着部材を有する定着器からなり、
　現像器によりトナー画像を形成するプロセス部に設けられ前記現像器にトナーを搬送することでトナーが補給される系、前記トナーが補給される系および前記定着器をともに駆動する１つの駆動モータを少なくとも有する駆動系、および前記定着部材を加熱した後に前記駆動モータの駆動を開始するとともに、トナーエンドセンサからの出力信号によりトナーエンド状態を判断したとき前記トナー循環系を駆動してトナー補給を行うトナー補給モードが設定されている制御装置を備えており、
　前記制御装置は、前記定着部材の温度がトナー固着が解除されている温度になったときに前記駆動モータの駆動を開始することを特徴とする画像形成装置。」
である点で一致し、以下に列挙する点で相違している。
　
（あ）本件訂正後発明における定着器は定着部材に加えて定着部材のまわりに接触する接触部材とを有し、制御装置は定着部材の温度がトナー固着解除温度になったときに駆動モータの駆動を開始し、印字途中に前記トナー補給モードに入った場合は前記定着器を定着温度で制御しつつ前記駆動モータを駆動制御し、印字途中でないときに前記トナー補給モードに入った場合は前記定着器を最低固着解除温度で制御しつつ前記駆動モータを駆動制御するのに対して、引用発明１は接触部材を有するか否か不明であり、定着ローラが加熱され定着温度に達してから定着ローラの回転を開始する点。
（い）トナー画像を形成するプロセス部に設けられ現像器にトナーを搬送することでトナーが補給される系において、本件訂正後発明においてはトナー循環系であるのに対して、引用発明１においてはアジテータ３Ｂ及びトナー補給軸５を介してトナーカートリッジからトナーを搬送することで現像器にトナーが補給される系である点。
（う）本件訂正後発明における駆動モータは、スローアップ、スローダウン及び定速回転に駆動制御されるステップモータであるのに対して引用発明１ではその旨の開示が無い点。
　
（４）判断
ア　相違点（あ）について
　トナーの固着による定着器の損傷を起こさずに定着器を駆動する温度である点で、引用発明２におけるプロセス初期化開始温度は、本件訂正後発明におけるトナー固着解除温度に相当する。
　印字途中の定着器の制御目標温度である点で、引用発明２における動作中の設定温度は、本件訂正後発明における定着温度に相当する。
　印字途中でないときの定着器の制御目標温度であって、トナーの固着による定着器の損傷を起こさずに定着器を駆動する温度である点で、引用発明２における待機中の設定温度は、本件訂正後発明における最低固着解除温度と同等の意味を有する。
　ゆえに、引用文献２には、上記相違点（あ）に係る構成のうち、定着部材に接触する部材を設けること、定着部材の温度がトナー固着解除温度になったときに駆動モータの駆動を開始すること及び印字途中に前記トナー補給モードに入った場合は前記定着器を定着温度で制御しつつ前記駆動モータを駆動制御することは開示されている。しかしながら、印字途中でないときの定着器の制御目標温度を本件訂正後発明では最低固着解除温度に設定するのに対して引用発明２では最低固着解除温度以上である待機中の設定温度となるよう制御するが待機中の設定温度が最低固着解除温度である点までは開示されていない。
　そこで、引用発明１と引用発明２との適用容易性について検討する。引用発明１と引用発明２は、いずれも画像形成装置の駆動制御に関する技術であり、同一の技術分野に属する。また、組み合わせによって新規の作用効果を奏するものでもない。加えて、引用発明２における待機中の設定温度はトナーが固着しない温度範囲の中から設定するものであって、引用発明２を実施するにあたり、その待機中の設定温度は該温度範囲内において当業者が任意に設定しうる事項に過ぎないから、待機中の設定温度を最低固着解除温度に設定することは、当業者が実装の過程で適宜選択しうる事項にすぎない。
　
　したがって、引用発明１における画像形成装置において、相違点（あ）に係る事項を引用発明２から導き出すことは、当業者が容易に想到し得るものである。
　
イ　相違点（い）について
　クリーニング装置で回収したトナーを現像器に搬送する手段を有する画像形成装置であって、該搬送する手段を介して新しいトナーを現像器に補給するものは、たとえば特開昭５４−８９７４２号公報、特開昭５５−１２９３７５号公報及び特開平２−２３６５７５号公報に記載されているように当業者に周知である。
　また、クリーニング装置と現像器の間でトナーを循環搬送し、クリーニング装置で回収したトナーを現像器に搬送する機能を有するものは、たとえば特開昭５４−８９７４２号公報及び実願昭５６−１１１８０８号（実開昭５８−１８２７０号）のマイクロフィルムに記載されている様に、当業者に周知である。
　これらの周知技術の存在からみて、クリーニング装置と現像器の間でトナーを循環搬送し、クリーニング装置で回収したトナーを現像器に搬送する機能を有するとともに、該搬送する手段を介して新しいトナーを現像器に補給するもの、すなわち相違点（い）における「現像器にトナーを搬送することでトナーが補給されるトナー循環系」は、本件特許の出願当時すでに当業者に周知であったものと認められる。
　したがって、引用発明１における画像形成装置において、周知の「現像器にトナーを搬送することでトナーが補給されるトナー循環系」により、「トナー画像を形成するプロセス部に設けられ現像器にトナーを搬送することでトナーが補給される系」を構成することは、当業者が必要に応じて適宜なし得る単なる設計変更程度の事項にすぎない。
　
ウ　相違点（う）について
　引用文献３に記載されている様に、像担持体と定着器とを少なくとも含む電子写真装置内の部位を回転駆動するステッピングモータからなるメーンモータを有し、前記ステッピングモータはスローアップおよびスローダウンを行うことは当業者に公知である。
　引用文献３には定速回転を行うことが一見記載されていない。しかしながら、引用文献２には、摘示事項（２ａ）において、定着速度Ｖａで回転させることが記載されている。この様に、一定の速度で定着器を駆動することは、当業者が通常行っている事項にすぎない。
　このことを勘案するに、引用文献３に記載された発明においても定速回転を行うことは、直接記載されていなくとも、当業者に自明の事項にすぎない。
　したがって、引用発明１における画像形成装置において、その駆動のために引用文献３に記載されたステッピングモータを用いることは、当業者が容易に想到し得るものである。
　
エ　まとめ
　以上のとおり、相違点（あ）ないし（う）は、いずれも当業者が容易に想到し得るものであり、そして、相違点（あ）ないし（う）を組み合わせたことにより、顕著な作用効果を奏するものでもない。
　よって、本件訂正後発明は、引用文献１ないし３に記載された発明及び周知技術に基づいて、当業者が容易に想到し得るものであって、特許法第２９条第２項の規定により特許出願の際独立して特許を受けることができないものであるから、平成６年改正前特許法第１２６条第３項の規定に適合しない。
　
第４　むすび
　以上のとおりであるから、上記訂正事項は平成６年改正前特許法第１２６条第２項の規定に適合するものではなく、また、同法第１２６条第３項の規定に適合するものでもない。
　よって、結論のとおり審決する。